(57)【特許請求の範囲】
【請求項１】
容器体口頸部(２)外面へ嵌合させた装着筒のフランジ状頂壁(１２)内周から起立筒(１３)を起立させると共に、該フランジ状頂壁(１２)下面から容器体内へ垂下するシリンダの上部を空気用シリンダ(２４)に、かつ該シリンダの下部を小径部にして液用シリンダ(２５)に、それぞれ形成して、前記空気用シリンダ(２４)内に筒状の空気用ピストン(５０)を、かつ前記液用シリンダ(２５)内に筒状の液用ピストン(３０)を、それぞれ摺動自在に嵌合させ、
前記筒状の空気用ピストン(５０)の隔壁(５２)に外気導入孔(５７)を設けると共に、該空気用ピストン(５０)の押し込み時に前記外気導入孔(５７)を閉塞可能なバルブ(５９)を該空気用ピストン(５０)内に設け、
前記空気用ピストン(５０)の隔壁(５２)に設けた開孔を摺動自在に挿通して前記液用シリンダ内から前記液用ピストン(３０)を介して前記起立筒(１３)内へ起立するステム(６０)へノズルヘッド(７０)を装着させ、 
前記液用シリンダ(２５)からの液体と前記空気用シリンダ(２４)からの空気とが合流する気液混合室(６３)と前記ノズルヘッド(７０)とを接続する流路内に発泡部材(８１)を設け、
前記ノズルヘッド(７０)を押し下げることで、前記液用ピストン(３０)が前記液用シリンダ(２５)内に押し込まれるとともに前記空気用ピストン(５０)が前記空気用シリンダ(２４)内に押し込まれ、前記液用シリンダ(２５)内の液体及び前記空気用シリンダ(２４)内の空気が前記気液混合室(６３)内にそれぞれ圧送されて混合され、この気液混合体が前記発泡部材を通過することで発泡されて泡となり、該泡が前記ノズルヘッド(７０)から吐出可能に設けた泡吐出器において、
前記空気用ピストン隔壁(５２)に前記外気導入孔(５７)を形成して、該外気導入孔の周縁の少なくとも一部から該外気導入孔への水等の浸入を防止可能な水浸入防止壁(５８)を起立させ、
前記起立筒(１３)の下端を延設して導水筒(１４)に形成すると共に、該導水筒(１４)より外方の前記空気用ピストン隔壁(５２)部分に前記外気導入孔(５７)を形成したことを特徴とする泡吐出器。
【請求項２】
前記水浸入防止壁(５８)の高さを前記導水筒(１４)下端より高くしたことを特徴とする請求項１記載の泡吐出器。
【請求項３】
前記外気導入孔(５７)の外側の周縁を除いた周縁にコ字状またはＣ字状の前記水浸入防止壁を起立させたことを特徴とする請求項１又は請求項２に記載の泡吐出器。
【請求項４】
前記外気導入孔(５７)の全周縁部から前記水浸入防止壁(５８)を起立させたことを特徴とする請求項１又は請求項２記載の泡吐出器。
【請求項５】
前記外気導入孔(５７)の内側の周縁から起立する前記水浸入防止壁部分(５８)は、その中央部が前記導水筒(１４)方向へ凸に屈曲した上面視くの字状に形成されていることを特徴とする請求項１から４のいずれか１項記載泡吐出器。
【請求項６】
前記外気導入孔(５７)を前記空気用ピストンの隔壁を構成する天面壁(５４)の外周部に設けたことを特徴とする請求項１から５のいずれか１項記載の泡吐出器。
【発明の詳細な説明】
【技術分野】
【０００１】
本発明は空気と液体を混合してきめの細かい泡として吐出する泡吐出器に関する。
【背景技術】
【０００２】
容器体の口頸部へ嵌合させた装着筒のフランジ状頂壁内周から起立筒を起立させると共に、フランジ状頂壁から垂下する空気用シリンダ内に嵌合させた筒状の空気用ピストンの隔壁に外気導入孔を設け、さらに、空気用ピストンの隔壁を摺動自在に挿通して液用シリンダ内から起立するステムへノズルヘッドを装着させた泡噴出器が従来技術として知られている。
【先行技術文献】
【特許文献】
【０００３】
【特許文献１】特開２００７−２５３１１３号公報
【発明の概要】
【発明が解決しようとする課題】
【０００４】
しかしながら、従来技術では起立筒内に浸入した水等が起立筒下端から空気用ピストンの隔壁上に滴下して外気導入孔から空気用シリンダ内へ浸入するという課題があった。
【０００５】
本発明は、上記課題を解決するためになされたもので、空気用シリンダ内への水等の浸入を防止可能な泡吐出器を提供することを目的とする。
【課題を解決するための手段】
【０００６】
上記課題を解決するために、本発明は、容器体口頸部２外面へ嵌合させた装着筒のフランジ状頂壁１２内周から起立筒１３を起立させると共に、該フランジ状頂壁１２下面から容器体内へ垂下するシリンダの上部を空気用シリンダ２４に、かつ該シリンダの下部を小径部にして液用シリンダ２５に、それぞれ形成して、前記空気用シリンダ２４内に筒状の空気用ピストン５０を、かつ前記液用シリンダ２５内に筒状の液用ピストン３０を、それぞれ摺動自在に嵌合させ、
前記筒状の空気用ピストン５０の隔壁５２に外気導入孔５７を設けると共に、該空気用ピストン５０の押し込み時に前記外気導入孔５７を閉塞可能なバルブ５９を該空気用ピストン５０内に設け、
前記空気用ピストン５０の隔壁５２に設けた開孔を摺動自在に挿通して前記液用シリンダ内から前記液用ピストン３０を介して前記起立筒１３内へ起立するステム６０へノズルヘッド７０を装着させ、 
前記液用シリンダ２５からの液体と前記空気用シリンダ２４からの空気とが合流する気液混合室６３と前記ノズルヘッド７０とを接続する流路内に発泡部材８１を設け、
前記ノズルヘッド７０を押し下げることで、前記液用ピストン３０が前記液用シリンダ２５内に押し込まれるとともに前記空気用ピストン５０が前記空気用シリンダ２４内に押し込まれ、前記液用シリンダ２５内の液体及び前記空気用シリンダ２４内の空気が前記気液混合室６３内にそれぞれ圧送されて混合され、この気液混合体が前記発泡部材を通過することで発泡されて泡となり、該泡が前記ノズルヘッド７０から吐出可能に設けた泡吐出器において、
前記空気用ピストン隔壁５２に前記外気導入孔５７を形成して、該外気導入孔の周縁の少なくとも一部から該外気導入孔への水等の浸入を防止可能な水浸入防止壁５８を起立させ、
前記起立筒１３の下端を延設して導水筒１４に形成すると共に、該導水筒１４より外方の前記空気用ピストン隔壁５２部分に前記外気導入孔５７を形成した。
【０００７】
また本発明は、前記水浸入防止壁５８の高さを前記導水筒１４下端より高くしたことを特徴とする。
【０００８】
さらに、本発明は、前記外気導入孔(５７)の外側の周縁を除いた周縁にコ字状またはＣ字状の前記水浸入防止壁を起立させたことを特徴とする。
【０００９】
さらに、本発明は、前記外気導入孔(５７)の全周縁部から前記水浸入防止壁(５８)を起立させたことを特徴とする。
【００１０】
さらに、本発明は、前記外気導入孔５７の内側の周縁から起立する前記水浸入防止壁部分５８は、その中央部が前記導水筒１４方向へ凸に屈曲した上面視くの字状に形成されていることを特徴とする。
【００１１】
さらに、本発明は、前記外気導入孔５７を前記空気用ピストンの隔壁を構成する天面壁５４の外周部に設けたことを特徴とする。
【発明の効果】
【００１３】
本発明は、外気導入孔の周縁の少なくとも一部から水浸入防止壁を起立させたので、起立筒下端から滴下した水等は水浸入防止壁により流れを変えられ外気導入孔を迂回するため、外気導入孔から空気用シリンダ内へ浸入することがない。
【００１４】
また、本発明は、外気導入孔を周方向へ長い長孔に形成したので、外気導入孔と起立筒との距離を極力大にすることができる。
さらに、本発明は、水浸入防止壁の高さを導水筒下端より高くしたので、外気導入孔が導水筒に近接する場合であっても跳ね返りの水等の浸入を防止することができる。
【００１５】
さらに、本発明は、水浸入防止壁をコ字状またはＣ字状に形成したので、外気導入孔への水等浸入防止効果をより向上させることができる。
【００１６】
さらに、本発明は、全周縁部から水浸入防止壁を起立させたので、水等が外気導入孔内に侵入することが防止される。
【００１７】
さらに、本発明は、外気導入孔の内側の周縁から起立する水浸入防止壁を上面視くの字状に形成したので、水等の流れを外気導入孔から離れる方向へ変えることができる。
【００１８】
さらに、本発明は、外気導入孔を空気用ピストンの隔壁を構成する天面壁の周縁部に設けたので、導水筒との距離を大にすることができ、よって水浸入防止壁の高さが多少低くても跳ね返りの水等の外気導入孔への浸入を防止することができる。
【図面の簡単な説明】
【００２０】
【図１】本発明に係る泡吐出器の縦断面図である。
【図２】(ａ)  空気用ピストンの平面図である。          (ｂ)  空気用ピストンの半断面正面図である。
【図３】(ａ)  第２実施形態の空気用ピストンの平面図である。          (ｂ)  第２実施形態の空気用ピストンの半断面正面図である。
【発明を実施するための形態】
【００２１】
以下、本発明の実施の形態について、図面を参照しながら詳細に説明する。
【００２２】
図１において、１は容器本体で、胴部上端から肩部を介して口頸部２を起立する。
【００２３】
１０は装着筒で、口頸部２の外面へ嵌合させた周壁１１のフランジ状頂壁１２の内周から起立筒１３を起立させると共に、起立筒１３下端を下方へ延設して導水筒１４に形成し、さらにフランジ状頂壁１２の外周部から嵌合筒１５を垂下する。
【００２４】
２０はシリンダで、上端部外面からフランジ２１を介して短筒２２を起立し、フランジ２１を口頸部２の上端にパッキンを介して載置させると共に、短筒２２を装着筒１０の嵌合筒１５外面へ嵌合させて容器本体内へ垂下する。
【００２５】
シリンダ２０の下部を縮径して、上部を大径部に、かつ下部を小径部に、それぞれ形成し、大径部を空気用シリンダ２４に、小径部を大径部と同軸状の液用シリンダ２５に形成し、該液用シリンダ２５の下端の吸込孔から吸上げパイプ嵌合筒２６を垂下する。
【００２６】
３０は筒状の液用ピストンで、液用シリンダ２５内へ摺動自在に嵌合させた摺動筒内面からステム嵌合筒３１を起立する。
【００２７】
４０は吸込弁で、ステム嵌合筒３１の上端へ嵌合させた下方小径のテーパ筒下部から弁棒４１を垂下して、弁棒４１下端をシリンダ２０の吸込孔内面へ着座自在に形成すると共に、弁棒４１の外周面に複数の流路を縦設する。４２は液用ピストン３０を上方付勢するコイルスプリングで、下端を弁棒４１の下部外面へ係合させると共に、上端を液用ピストン３０内面へ係合させている。
【００２８】
５０は筒状の空気用ピストンで、空気用シリンダ２４内面へ摺動自在に嵌合させた摺動筒５１に貯留・加圧・吸引室形成用の隔壁５２を設けている。隔壁５２は摺動筒５１の内面からフランジを介して隔壁形成筒５３を起立し、該隔壁形成筒５３の上端から鍔状部を介して起立する筒部の天面壁５４中央の開孔周縁から嵌合筒５５を起立すると共に、天面壁５４下面の開孔周囲から垂下筒５６を垂設する。
【００２９】
５７は外気導入孔で、空気用ピストン５０が上昇する際に、空気を空気用シリンダ２４内へ導入するためのもので、天面壁５４の外周部に等間隔で配置された周方向へ長い複数の長孔で形成する。
【００３０】
５８は水浸入防止壁で、導水筒１４(装着筒の起立筒１３と下記ノズルヘッドの内筒７２との間)から滴下する水が外気導入孔５７を介して空気用シリンダ２４内へ浸入するのを防止するためもので、外気導入孔５７の周縁から起立させる。
図２では外気導入孔５７の周縁の一部、すなわち外気導入孔５７の外側の周縁を除いた周縁から起立させる。したがって、外気導入孔５７がコ字状またはＣ字状に形成される。その際、外気導入孔５７の内側の周縁から起立する水浸入防止壁部分は、その中央部が導水筒１４方向へ凸に屈曲した上面視くの字状に形成すると共に、くの字状の水浸入防止壁部分の両側に位置する水浸入防止壁部分の両端は天面壁５４の周縁に位置させる。
【００３１】
水浸入防止壁５８は、図３に示すように外気導入孔５７の全周縁部から起立させてもよい。
【００３２】
５９はバルブで、垂下筒５６の外面へ嵌合させた環状筒の下端外面からフランジ状に張出して外周部が天面壁５４の鍔状部下面へ接触することで外気導入孔５７を開閉可能に設けている。
【００３３】
６０は空気用ピストン５０の嵌合筒５５を摺動自在に挿通して起立筒１３内に達するステムで、ステム嵌合筒３１の外面へ下部を嵌着させたステム上部内に吐出弁６２を設けて、吐出弁６２より上方部分を気液混合室６３に形成し、さらにステム上部外面に、周縁に突条が周設された環状座部６４をフランジ状に張出している。
【００３４】
７０はノズルヘッドで、頂壁７１から内外２重筒７２、７３を垂下して、内筒７２の下部を縮径することで中内径部に、かつ中内径部の下端部を縮径することで小内径部に、それぞれ形成し、該小内径部を空気用ピストン５０の嵌合筒５５の上部外面へ摺動自在に嵌合させる。一方、外筒７３はその下端部を起立筒１３上端へ摺動自在に嵌合させる。
【００３５】
８０は下部をステム６０の気液混合室６３内へ嵌合させると共に、上部をノズルヘッド７０の内筒７２内面へ嵌着させたジェットリング、８１はジェットリング８０の上部内面に保持され、気液混合液をきめの細かい泡にするメッシュリングである。
【００３６】
次に作用について説明する。
初期姿勢の状態からノズルヘッド７０を押し込むと、ステム６０、液用ピストン３０、吸込弁４０が下降する。一方、空気用ピストン５０の嵌合筒５５はノズルヘッド７０の内筒７２に対して僅かにスライド可能となっているため、ノズルヘッド７０の初期の押込みでは空気用ピストン５０は静止状態を保持する。このためステム６０と一体の環状座部６４が垂下筒５６の下端から離間する。
【００３７】
さらなる押込みヘッド７０の押し込みで、内筒７２下端が空気用ピストン５０の天面壁５４へ当接すると、空気用ピストン５０は下降を開始して空気用シリンダ２４内の空気を加圧する。この加圧空気は、垂下筒５６と環状座部６４との間から垂下筒５６内に流入し、ステム６０外面の空気路およびジェットリング８０とステム６０上端との間隙を介して気液混合室６３内へ流入する。
【００３８】
他方、ノズルヘッド７０の押し込みで、吸込弁４０は下降して液用シリンダ２５の下端部内面に接触して吸込孔を閉じると共に、吸込弁４０の下降が停止するため、液用ピストン３０のステム嵌合筒３１上端が吸込弁４０の下方小径のテーパ筒から離間して液用ピストン３０が下降するため液用シリンダ２５内の液体が加圧される。この加圧液体は弁棒４１の外面の流路、吸込弁４０上端の外面とステム嵌合筒３１内面との間隙、および吐出弁６２を介して気液混合室６３内へ流入して加圧空気と合流し、気液混合状態でジェットリング８０、メッシュリング８１を通り、泡状になってノズルヘッド７０から吐出する。
【００３９】
ノズルヘッド７０の押込みを解除すると、コイルスプリング４２のばね力で液用ピストン３０、吸込弁４０、ステム６０、ノズルヘッド７０が上昇する。一方、空気用ピストン５０の嵌合筒５５はノズルヘッド７０の内筒７２に対して僅かにスライド可能となっているため、空気用ピストン５０は静止状態を保持する。このためステム６０と一体の環状座部６４が垂下筒５６の下端へ当接する。これにより空気用ピストン５０は上昇するため、空気用シリンダ２４内は負圧化し、バルブ５９が天面壁５４から下方へ離間するため、外気導入孔５７から空気が導入される。他方、吸込弁４０が上昇して吸込孔が開になるため、液用シリンダ２５内の負圧化により吸込孔を介して容器本体の内容物が液用シリンダ２５内へ吸引される。
【００４０】
一方、起立筒１３とノズルヘッド７０の内筒７２との間隙内に入った水はフランジ状頂壁１２の内面沿いに移動することなく、導水筒１４下端から天面壁５４上へ滴下して、天面壁の外周縁へと移動するが、水浸入防止壁５８が設けられているため、外気導入孔５７を介して空気用シリンダ２４内へ浸入することがない。
【産業上の利用可能性】
【００４１】
本発明は、空気と液体を混合してきめの細かい泡として吐出する泡吐出器の分野に利用することができる。
【符号の説明】
【００４２】
１２  フランジ状頂壁
１３  起立筒
１４  導水筒
２４  空気用シリンダ
２５  液用シリンダ
３０  液用ピストン
３１  ステム嵌合筒
４０  吸込弁
５０  空気用ピストン
５２  隔壁
５５  嵌合筒
５６  垂下筒
５７  外気導入孔
５８  水浸入防止壁
６０  ステム
６３  気液混合室
７０  ノズルヘッド
【図１】
0005903743.tif 000002
【図２】
0005903743.tif 000003
【図３】
0005903743.tif 000004